(57)【要約】【課題】排気ガスを排出する車両の乗り入れが禁止される規制区域への入場の際には、内燃機関による走行を禁止することが可能な車両入退場管理装置を提供する。【解決手段】車両の走行動力源として内燃機関の使用を許可する規制外区域から、内燃機関の使用を禁止する規制区域に入場する車両に搭載された車載装置との間で無線通信を行うことにより、車載装置から取得した車両識別情報に基づいて、車両の規制区域への入場を許可すると判定したとき、内燃機関の使用を禁止する旨を含む内燃機関使用禁止情報を車載装置へ送信し、規制区域から規制外区域に退場する車両に搭載された車載装置との間で無線通信を行うことにより、車載装置から取得した車両識別情報に基づいて、車両の規制区域からの退場を許可すると判定したとき、内燃機関の使用を許可する旨を含む内燃機関使用許可情報を車載装置へ送信することを特徴とする。【選択図】図１
2011248647.tif 000002
【特許請求の範囲】
【請求項１】
車両の走行動力源として内燃機関の使用を許可する規制外区域から、前記走行動力源として前記内燃機関の使用を禁止する規制区域に入場する入場口に設置され、
入場する前記車両に搭載された車載装置との間で無線通信を行うことにより、前記車載装置から、前記車両を識別するための車両識別情報を取得する入場車両識別情報取得部と、
取得した前記車両識別情報に基づいて、前記車両の前記規制区域への入場を許可するか否かを判定する入場許可判定部と、
前記車両の前記規制区域への入場を許可すると判定したとき、前記内燃機関の使用を禁止する旨を含む内燃機関使用禁止情報を前記車載装置へ送信する内燃機関使用禁止情報送信部と、
を備えることを特徴とする車両入退場管理装置。
【請求項２】
予め前記車両識別情報を記憶する車両識別情報記憶部を備え、
前記入場許可判定部は、前記車両から取得した車両識別情報と、前記車両識別情報記憶部に記憶された車両識別情報とを照合し、その照合結果に基づいて前記車両の前記規制区域への入場を許可するか否かを判定する請求項１に記載の車両入退場管理装置。
【請求項３】
前記車両は、前記走行動力源として前記内燃機関を使用するものであり、
前記車載装置は、前記内燃機関使用禁止情報を受信する内燃機関使用禁止情報受信部と、
前記内燃機関使用禁止情報を受信したときに、前記内燃機関の動作を停止する内燃機関動作制御部と、
を備える請求項１または請求項２に記載の車両入退場管理装置。
【請求項４】
前記車両は、前記走行動力源として走行駆動用モータと前記内燃機関とを切替使用するものであり、
前記車載装置は、前記内燃機関使用禁止情報を受信する内燃機関使用禁止情報受信部と、
前記内燃機関使用禁止情報を受信したときに、前記走行動力源として前記走行駆動用モータのみを使用するモータ走行モードに自動切替する走行モード切替部と、
を備える請求項１または請求項２に記載の車両入退場管理装置。
【請求項５】
前記規制区域から前記規制外区域に退場する退場口に設置され、退場する前記車両に搭載された車載装置との間で無線通信を行うことにより、前記車両の車両識別情報を取得する退場車両識別情報取得部と、
取得した前記車両識別情報に基づいて、前記車両の前記規制区域からの退場を許可するか否かを判定する退場許可判定部と、
前記車両の前記規制区域からの退場を許可すると判定したとき、前記内燃機関の使用を許可する旨を含む内燃機関使用許可情報を前記車載装置へ送信する内燃機関使用許可情報送信部と、
を備える請求項１ないし請求項４のいずれか１項に記載の車両入退場管理装置。
【請求項６】
予め前記車両識別情報を登録し記憶する車両識別情報記憶部を備え、
前記退場許可判定部は、前記車両から取得した車両識別情報と、前記車両識別情報記憶部に記憶された車両識別情報とを照合し、その照合結果に基づいて前記車両の前記規制区域からの退場を許可するか否かを判定する請求項５に記載の車両入退場管理装置。
【請求項７】
前記車両は、前記走行動力源として前記内燃機関を使用するものであり、
前記車載装置は、前記内燃機関使用許可情報を受信する内燃機関使用許可情報受信部と、
前記内燃機関使用許可情報を受信したときに、前記内燃機関の動作を開始する内燃機関動作制御部と、
を備える請求項５または請求項６に記載の車両入退場管理装置。
【請求項８】
前記車両は、前記走行動力源として走行駆動用モータと前記内燃機関とを切替使用するものであり、
前記車載装置は、前記内燃機関使用許可情報を受信する内燃機関使用許可情報受信部と、
前記内燃機関使用許可情報を受信したときに、前記走行動力源として前記走行駆動用モータおよび／または前記内燃機関を駆動して走行する通常走行モードに自動切替する走行モード切替部と、
を備える請求項５または請求項６に記載の車両入退場管理装置。
【発明の詳細な説明】
【技術分野】
【０００１】
本発明は、車両の入退場を管理する車両入退場管理装置に関する。
【背景技術】
【０００２】
近年、環境にやさしい車両として、駆動装置としてエンジンとバッテリにより駆動するモータとを搭載するハイブリッド車両が急速に普及している。このようなハイブリッド車両では、エンジンとモータとを併用したＨＶ走行モードとモータのみを使用したＥＶ走行モードとを切り替える制御を行なって低燃費を実現している。
【０００３】
例えば、運転者の低燃費走行に対する意識を高めるためにも、ハイブリッド車両の走行モードの切り替えについて運転者も認識できるように、運転者が車両の走行モードの切り替えに関する将来の情報を予め知ることができるハイブリッド車両の表示装置が考案されている（特許文献１参照）。
【０００４】
また、バッテリの代わりに燃料電池を用い、燃料電池およびモータという２種類のエネルギ出力源を、種々の作動状態において有効に活用し、システムの運転効率、環境性、利便性を向上することができるハイブリッドシステムが考案されている（特許文献２参照）。
【０００５】
また、燃料電池と二次電池とを搭載し、モータにより車両を走行するタイプの車両において、運転者の走行に関する操作に対応して、二次電池の充電状態の管理目標を切り替えて、運転者から見た運転追従性（ドライバビリティ）を改善することを可能とする車両用制御装置が考案されている（特許文献３参照）。
【０００６】
また、ナビゲーション装置を用いて目的地までのルート探索を行い、ルート上に排気ガスを排出する自動車の乗り入れが禁止される規制区域があるか否かを検出し、規制区域に到着するまで、ガソリンエンジン部で電動機を駆動してバッテリ部を充電し、規制区域に到着したら、バッテリ部の電力で電動機のみを運転して規制区域を通過することにより、規制区域を迂回せずに、最短距離で目的地に到達できるハイブリッドカーが考案されている（特許文献４参照）。
【先行技術文献】
【特許文献】
【０００７】
【特許文献１】特開２００８−０８２９４４号公報
【特許文献２】特開２００１−０６９６１０号公報
【特許文献３】特開２００１−２９８８０６号公報
【特許文献４】特開２００３−１１１２０８号公報
【発明の概要】
【発明が解決しようとする課題】
【０００８】
特許文献１の構成では、走行モードの表示は行われるが、実際にその走行モードに切り替るわけではない。
【０００９】
特許文献２の構成では、ユーザが操作ＳＷを操作することによって走行モードを切り替えることができるが、ユーザが操作を忘れてしまうこともあり得る。
【００１０】
特許文献３の構成では、自動的に走行モードを切り替えることができるが、必ずしもユーザの意図や周囲の状況に応じたモードに切り替るというわけではない。
【００１１】
ガソリンエンジン等の内燃機関を使用したエンジン走行モードでは、排出ガスが充満する等の問題から屋内へ乗り入れることは好ましくなく、工場建屋内への配送車両の乗り入れや病棟内への救急車の乗り入れは、ほぼできない状況になっている。但し、エンジン走行モードではなく、ＥＶ走行モードであれば、排出ガスの問題はなく、ハイブリット車両（ＨＶ車両）でもＥＶ走行モードによって屋内を走行することができる。
【００１２】
ただし、ＨＶ車両は、エンジンあるいはＥＶの走行モードをユーザが意図的に切り替えるか、自動で切り替えるかのいずれかであり、走行モードを意図的に切り替える方法の場合は、切り替え忘れや誤ってエンジン走行モードに切り替えてしまう惧れもある。
【００１３】
また、特許文献４の構成では、区域によって走行モードを切り替えることができるようになっているが、内燃機関のみを搭載した車両の規制区域の走行を制限する構成とはなっていない。また、目的地までの途中にある規制区域の走行を対象としているのみで、セキュリティの観点から入出管理が必要となる工場などの屋内私有地への入退場については言及していない。
【００１４】
上記問題点を背景として、本発明の課題は、排気ガスを排出する車両の乗り入れが禁止される規制区域への入場の際には、内燃機関による走行を禁止することが可能な車両入退場管理装置を提供することにある。
【課題を解決するための手段および発明の効果】
【００１５】
上記課題を解決するための車両入退場管理装置は、車両の走行動力源として内燃機関の使用を許可する規制外区域から、走行動力源として内燃機関の使用を禁止する規制区域に入場する入場口に設置され、入場する車両に搭載された車載装置との間で無線通信を行うことにより、車載装置から、車両を識別するための車両識別情報を取得する入場車両識別情報取得部と、取得した車両識別情報に基づいて、車両の規制区域への入場を許可するか否かを判定する入場許可判定部と、車両の規制区域への入場を許可すると判定したとき、内燃機関の使用を禁止する旨を含む内燃機関使用禁止情報を車載装置へ送信する内燃機関使用禁止情報送信部と、を備えることを特徴とする。
【００１６】
上記構成によって、単に、規制区域であるかどうかを車両に送信するだけではなく、内燃機関の使用を禁止する旨を送信することにより、規制区域への進入を制限することができる。
【００１７】
また、本発明の車両入退場管理装置は、予め車両識別情報を記憶する車両識別情報記憶部を備え、入場許可判定部は、車両から取得した車両識別情報と、車両識別情報記憶部に記憶された車両識別情報とを照合し、その照合結果に基づいて車両の規制区域への入場を許可するか否かを判定する。
【００１８】
上記構成によって、例えば、走行動力源が内燃機関のみの車両の入場を禁止することができる。また、入退場管理が必要となる工場などの屋内私有地への入場に際して、セキュリティを十分確保できる。
【００１９】
また、本発明の車両入退場管理装置における車両は、走行動力源として内燃機関を使用するものであり、車載装置は、内燃機関使用禁止情報を受信する内燃機関使用禁止情報受信部と、内燃機関使用禁止情報を受信したときに、内燃機関の動作を停止する内燃機関動作制御部と、を備える。
【００２０】
上記構成によって、内燃機関のみを搭載した車両は、内燃機関を強制的に停止させられてしまうので、無理にあるいは誤って規制区域に進入することを防止できる。
【００２１】
また、本発明の車両入退場管理装置における車両は、走行動力源として走行駆動用モータと内燃機関とを切替使用するものであり、車載装置は、内燃機関使用禁止情報を受信する内燃機関使用禁止情報受信部と、内燃機関使用禁止情報を受信したときに、走行動力源として走行駆動用モータのみを使用するモータ走行モードに自動切替する走行モード切替部と、を備える。
【００２２】
走行動力源として走行駆動用モータと内燃機関とを切替使用するハイブリッド車両では、構成によっては走行駆動用モータのみで走行可能なものがある。上記構成によって、モータのみで走行可能なハイブリッド車両の入場を許可することができ、規制区域（特に屋内）での排気ガスの排出も防止できる。また、この切り替えは自動で行われるため、ユーザの切り替え忘れや誤ってエンジン走行モードにしてしまうという懸念は解消される。
【００２３】
また、本発明の車両入退場管理装置は、規制区域から規制外区域に退場する退場口に設置され、退場する車両に搭載された車載装置との間で無線通信を行うことにより、車両の車両識別情報を取得する退場車両識別情報取得部と、取得した車両識別情報に基づいて、車両の規制区域からの退場を許可するか否かを判定する退場許可判定部と、車両の規制区域からの退場を許可すると判定したとき、内燃機関の使用を許可する旨を含む内燃機関使用許可情報を車載装置へ送信する内燃機関使用許可情報送信部と、を備える。
【００２４】
上記構成によって、規制区域から退場する車両は、規制外区域では、通常どおり内燃機関を使用して走行することができるようになる。
【００２５】
また、本発明の車両入退場管理装置は、予め車両識別情報を登録し記憶する車両識別情報記憶部を備え、退場許可判定部は、車両から取得した車両識別情報と、車両識別情報記憶部に記憶された車両識別情報とを照合し、その照合結果に基づいて車両の規制区域からの退場を許可するか否かを判定する。
【００２６】
上記構成によって、規制区域から退場させるべきではない車両の退場を防止することができる。
【００２７】
また、本発明の車両入退場管理装置における車両は、走行動力源として内燃機関を使用するものであり、車載装置は、内燃機関使用許可情報を受信する内燃機関使用許可情報受信部と、内燃機関使用許可情報を受信したときに、内燃機関の動作を開始する内燃機関動作制御部と、を備える。
【００２８】
上記構成によって、誤って規制区域に進入してしまった内燃機関のみを搭載した車両は、退場口付近まで牽引等されれば、規制外区域では、通常どおり内燃機関を使用して走行することができる。
【００２９】
また、本発明の車両入退場管理装置における車両は、走行動力源として走行駆動用モータと内燃機関とを切替使用するものであり、車載装置は、内燃機関使用許可情報を受信する内燃機関使用許可情報受信部と、内燃機関使用許可情報を受信したときに、走行動力源として走行駆動用モータおよび／または内燃機関を駆動して走行する通常走行モードに自動切替する走行モード切替部と、を備える。
【００３０】
上記構成によって、ハイブリッド車両は、車両の走行状態に応じて走行駆動用モータと内燃機関とを使い分ける通常走行モードで走行することが可能となる。また、この切り替えは、自動で行われるため、ユーザの切り替え忘れの懸念は解消される。
【図面の簡単な説明】
【００３１】
【図１】車両入退場管理装置の構成を示すブロック図。
【図２】ハイブリッド車両の詳細構成を示すブロック図。
【図３】データベースの構成例を示す図。
【図４】メモリの記憶内容の一例を示す図。
【図５】車両入場処理の流れを説明する図。
【図６】車両退場処理の流れを説明する図。
【図７】ＥＶ強制モード復旧処理の流れを説明する図。
【図８】電池残量判定処理を説明するフロー図。
【発明を実施するための形態】
【００３２】
以下、本発明の車両入退場管理装置の一実施例を、図面を用いて説明する。図１に、車両入退場管理装置１の構成を示す。車両入退場管理装置１は、車両２００が入場口１０２のみから入場でき、退場口１０４のみから退場でき、これら入場口１０２，退場口１０４以外の隣接地との境界は車両が進入できないように柵などで囲まれている敷地１２０に設置された管理装置１００，車両２００に搭載された車載装置２０１を含んで構成される。なお、敷地１２０内が規制区域に相当し、敷地１２０の外側が規制外区域に相当する。
【００３３】
管理装置１００は、管理サーバ１１０，および管理サーバ１１０に接続された入場用通信装置１０１，退場用通信装置１０３を含んで構成される。また、入場口１０２，退場口１０４に、それぞれ管理装置１００の指令により開閉して車両２００の通行を許可／遮断するバー１０２ａ，１０４ａ（バー開閉機構は図示省略）を設けてもよい。
【００３４】
管理サーバ１１０は、周知のパーソナルコンピュータあるいはサーバとして構成され、ＣＰＵ１１１，ＲＯＭ１１２，ＲＡＭ１１３，例えばハードディスク装置で構成されるデータベース１１４，外部との信号入出力回路であるＩ／Ｏ１１５がバスライン１１６により接続されている。そして、ＣＰＵ１１１がＲＯＭ１１２に記憶されたサーバプログラムを実行することにより、後述する管理サーバとしての機能を実現する。なお、ＣＰＵ１１１が本発明の入場許可判定部，退場許可判定部に相当する。
【００３５】
入場用通信装置１０１は、例えば周知のＤＳＲＣ(Dedicated  Short  Range  Communication：専用狭域通信)技術を用いた通信により、敷地１２０に入場しようとする車両２００に搭載された車載装置２０１との通信を行う。同様に、退場用通信装置１０３は、敷地１２０から退場しようとする車両２００に搭載された車載装置２０１との通信を行う。なお、入場用通信装置１０１が本発明の入場車両識別情報取得部，内燃機関使用禁止情報送信部に相当する。また、退場用通信装置１０３が本発明の退場車両識別情報取得部，内燃機関使用許可情報送信部に相当する。
【００３６】
入場用通信装置１０１が送信する電波の送信範囲はＲ１で示される、敷地１２０の外側の入場口１０２の手前付近で、退場用通信装置１０３が送信する電波の送信範囲はＲ２で示される、敷地１２０内の退場口１０４の手前付近となっており、これにより、２つの通信装置から送信される電波が混信することを防止できる。２つの通信装置から送信される電波の周波数を異なるものとしてもよい。また、入場口と退場口とを兼用する構成としてもよい。この場合でも、入場用通信装置１０１が送信する電波と退場用通信装置１０３が送信する電波とは混信しない。
【００３７】
図３に、データベース１１４に記憶された車両識別情報の一例を示す。車両識別情報は、車両に固有の番号あるいは記号である車両ＩＤ，車両の走行動力源を含む車両種別，敷地１２０における現在の入退場の状態を含んでいる。また、車両識別情報は、サーバ装置１１０に接続された図示しないキーボード等の入力手段により登録・編集可能となっている。なお、データベース１１４が本発明の車両識別情報記憶部に相当する。
【００３８】
図２に、車両２００の構成例を示す。車両２００は、走行動力源として走行駆動用モータと内燃機関とを切替使用する、いわゆるハイブリッド車両（以下、「ＨＶ」ともいう）として構成されている。車両２００は、車載装置２０１と走行駆動制御部２０３とにより動作制御される。
【００３９】
車載装置２０１は、ＣＰＵ２０１ａと、ＣＰＵ２０１ａに接続された、入場用通信装置１０１，退場用通信装置１０３とデータ通信を行う通信回路２０１ｂ，フラッシュメモリ等の不揮発性記憶媒体で構成されるメモリ２０１ｃ，スタータ切替ＳＷ（スイッチ）回路２０１ｄ（詳細は後述），車内ＬＡＮ２１２を介して走行駆動制御部２０３とデータ通信を行うＬＡＮ通信Ｉ／Ｆ（インターフェース）２０１ｅ，バッテリ２１４からの電力を車載装置２０１内に供給する電源回路２０１ｆを含んで構成される。そして、ＣＰＵ２０１ａがメモリ２０１ｃに記憶されたプログラムを実行することで、車載装置２０１の機能を実現する。
【００４０】
なお、通信回路２０１ｂが本発明の内燃機関使用禁止情報受信部，内燃機関使用許可情報受信部に相当する。また、スタータ切替ＳＷ回路２０１ｄが本発明の内燃機関動作制御部に相当する。
【００４１】
また、車載装置２０１に、例えばＬＣＤ（Liquid  Crystal  Display：液晶表示装置）である表示器２１１を接続して、各種情報を表示するようにしてもよい。
【００４２】
また、車両２００は、内燃機関（いわゆる、エンジン）２０９と走行駆動用モータ２０７との双方を走行動力源としている。内燃機関２０９からの駆動力は、周知の動力分割装置２０８により分割され、その一方が発電機２０２側に、他方が動力軸２１０側にそれぞれ出力される。また、走行駆動用モータ２０７の出力も動力軸２１０に入力され、その回転出力がギア機構２０６を介して車軸２０５に伝達されて、車輪２０４に駆動力が与えられる。これらの制御は、走行駆動制御部２０３において行われる。
【００４３】
走行駆動用モータ２０７の電源となる走行駆動用バッテリ２０３ｄは、発電機２０２の発電出力により充電される。具体的には、発電機２０２の発電出力を直流化するＡＣ−ＤＣコンバータ（図１では、単にコンバータと表記）２０３ｂの出力電圧が走行駆動用バッテリ２０３ｄの充電電圧として使用される。走行駆動用バッテリ２０３ｄの直流出力は、インバータ２０３ｃによりスイッチングされ、走行駆動用モータ２０７の走行駆動交流電圧に変換される。また、発電機２０２は、上述のバッテリ２１４の充電も行っている。
【００４４】
制御回路２０３ａは、図示しない周知のＣＰＵ，ＣＰＵにおける動作を規定するための各種プログラムが格納されたＲＯＭやＲＡＭ等を含むコンピュータとして構成される。制御回路２０３ａは、図示しないアクセルペダルの踏み込み量等に基づいて、内燃機関２０９，走行駆動用モータ２０７の駆動制御や、動力分割装置２０８における動力の分配制御を行う。すなわち、走行駆動用モータ２０７のみを用いるモータ走行モード（以降、「強制ＥＶモード」ともいう）と、走行駆動用モータ２０７および／または内燃機関２０９を用いる通常走行モードとの切替制御を行う。なお、制御回路２０３ａが本発明の走行モード切替部に相当する。
【００４５】
また、制御回路２０３ａは、図示しない通信インターフェースを含み、車内ＬＡＮ２１２(Local  Area  Network，後述)を介して車載装置２０１と通信可能に接続されている。
【００４６】
また、内燃機関２０９に含まれるスタータモータ（図示せず）には、このスタータモータを駆動して内燃機関２０９を始動するためのスタータ駆動回路２１３が接続されている。スタータ駆動回路２１３は、制御回路２０３ａからの制御信号により駆動制御される。また、スタータ駆動回路２１３は、スタータ切替ＳＷ回路２０１ｄからの制御信号により、スタータ駆動回路２１３への電源の供給／遮断が制御される。つまり、スタータ切替ＳＷ回路２０１ｄによりスタータ駆動回路２１３への電源の供給が遮断されたときには、制御回路２０３ａから駆動信号が出力されてもスタータモータを駆動しない（すなわち、内燃機関２０９が始動しない）ようになっている。
【００４７】
図５を用いて、車両入退場管理装置１における車両入場処理の流れについて説明する。なお、本処理は、管理装置１００，車両２００の車載装置２０１，走行駆動制御部２０３において、それぞれに含まれるＣＰＵにより実行される。
【００４８】
まず、管理装置１００の管理サーバ１１０において、入場しようとしている車両に対し、車両識別情報を要求する内容を含むデータ（車両識別情報要求）を入場用通信装置１０１から送信する（Ｓ１１）。入場用通信装置１０１からは、常時あるいは間歇動作のような予め定められたタイミングで車両識別情報要求が送信されている。入場口１０２への車両２００の接近を検出するセンサ（図示せず）を設置して、車両２００が入場口１０２へ接近したことを検出したときに、車両識別情報要求を送信してもよい。車両２００の車載装置２０１では、車両識別情報要求を受信すると、メモリ２０１ｃから車両識別情報２０１ｃ１を読み出し（Ｓ１２）、入場用通信装置１０１に送信する（Ｓ１３）。
【００４９】
図４に、メモリ２０１ｃの記憶内容の一例を示す。車両識別情報２０１ｃ１は、車両に固有の番号あるいは記号である車両ＩＤ，車両の走行動力源を含む車両種別を含む。
【００５０】
図５に戻り、管理サーバ１１０では、車両２００からの車両識別情報を受信すると、データベース１０４に予め記憶されている車両識別情報（図３参照）との照合を行う（Ｓ１４）。車両２００からの車両識別情報がデータベース１０４に含まれているとき、車両２００の入場を許可し、走行モードを、車両２００がハイブリッド車両であるため、走行動力源を走行駆動用モータ２０７のみとする強制ＥＶモードに設定させる内容を含むデータ（内燃機関使用禁止情報）を車両２００に送信する（Ｓ１５）。
【００５１】
ステップＳ１４において、車両２００からの車両識別情報がデータベース１０４に含まれているとき、かつ、該当する車両の状態が「退場」となっているときに、車両２００の入場を許可してもよい。
【００５２】
車両２００からの車両識別情報がデータベース１０４に含まれていないときには、内燃機関使用禁止情報は、入場を許可しない内容を含むものとなる。このときは、上述の強制ＥＶモードに設定させる内容を含まず、車載装置２０１では、内燃機関２０９を停止しない。また、後述のように内燃機関２０９を停止させる構成としてもよい。
【００５３】
車載装置２０１では、内燃機関使用禁止情報を受信すると、メモリ２０１ｃの走行モードフラグ２０１ｃ２（図４参照）を「強制ＥＶモード」とし、入退場フラグ２０１ｃ３を「入場」とする（Ｓ１６）。そして、車内ＬＡＮ２１２を介して、走行駆動制御部２０３に、走行モードを走行動力源が走行用駆動モータ２０７のみとなる「強制ＥＶモード」とするよう指令を送る（Ｓ１７）。走行駆動制御部２０３では、内燃機関２０９を停止するとともに、制御回路２０３ａの図示しないＲＡＭ（不揮発性メモリでもよい）に記憶されている走行モードを「強制ＥＶモード」に設定し、設定が完了した内容を含む設定応答データを車載装置２０１に送る（Ｓ１８）。これにより、車載装置２０１と制御回路２０３ａとの間で、走行モードの同期をとることができる。
【００５４】
次に、車載装置２０１のスタータ切替ＳＷ回路２０１ｄにおいて、スタータ駆動回路２１３への電源供給を遮断するようにスイッチを切り替える（Ｓ１９）。これにより、制御回路２０３ａがスタータ駆動回路２１３へスタータモータ駆動指令を送ったとしても、内燃機関２０９は始動しないようになり、走行駆動用バッテリ２０３ｄのみを走行駆動源として走行するようになる。そして、管理サーバ１１０に「強制ＥＶモード」の設定が完了した内容を含む設定応答データを送る（Ｓ２０）。
【００５５】
管理サーバ１１０は、車載装置２０１からの設定応答データを受信すると、データベース１０４の該当する車両の車両識別情報に含まれる「状態」を「入場」とする。そして、入場口１０２に備えられたバー１０２ａを開状態とする（ゲートオープン，Ｓ２１）。入場口１０２の周辺には、車両の通過を検出するためのセンサ（図示せず）が設置されており、バー１０２ａは、センサが車両２００の通過を検出した後に閉状態となる。
【００５６】
車両種別が「電気自動車」のときは、図２において、発電機２０２，コンバータ２０３ｂ，内燃機関２０９，動力分割装置２０８，スタータ駆動回路２１３を含まず、制御回路２０３ａは、図示しないアクセルペダルの踏み込み量等に基づいて、走行駆動用モータ２０７の駆動制御を行う構成となる。また、内燃機関使用禁止情報は、上述の強制ＥＶモードに設定させる内容を含まず、車両２００の入場を許可する内容を含むものとなる。そして、図５において、ステップＳ１６〜Ｓ１９は実行されず、ステップＳ２０の設定応答の内容は、車載装置２０１が内燃機関使用禁止情報を受信したことを伝えるものとなる。
【００５７】
車両種別が「走行動力源が内燃機関のみ」のときは、図２において、発電機２０２，コンバータ２０３ｂ，走行駆動用モータ２０７，動力分割装置２０８を含まず、制御回路２０３ａは、図示しないアクセルペダルの踏み込み量等に基づいて、内燃機関２０９の駆動制御を行う構成となる。また、内燃機関使用禁止情報に含まれる「強制ＥＶモード」は、内燃機関の使用を禁止する内容であるため、図５のステップＳ１８において、走行駆動制御部２０３の制御指令により、内燃機関２０９を停止させることで車両２００は停止する。このとき、車載装置２０１のスタータ切替ＳＷ回路２０１ｄにおいて、スタータ駆動回路２１３への電源供給を遮断するようにスイッチを切り替える。これにより、制御回路２０３ａがスタータ駆動回路２１３へスタータモータ駆動指令を送ったとしても、内燃機関２０９は始動しないようになる。
【００５８】
車両種別がＨＶでも走行用駆動モータのみで走行できない構成の場合には、内燃機関のみの車両と同様に、内燃機関２０９を停止させることで車両２００は停止する。
【００５９】
走行動力源が内燃機関のみの車両や、ＨＶでも走行用駆動モータのみで走行できない車両は、入場が禁止されたときに入場口１０２の手前で内燃機関が停止してしまうこともあり得る。そこで、車両がＵターンして入場口１０２から離れることができるように、内燃機関使用禁止情報を受信してから予め定められた時間が経過した後に入場用通信装置１０１からの電波を受信したときに、スタータ切替ＳＷ回路２０１ｄをＯＦＦ状態とする等して内燃機関２０９を停止させてもよい。
【００６０】
内燃機関２０９を始動させないようにする方法は、スタータ駆動回路２１３への電源を供給／遮断する方法の他に、内燃機関２０９に燃料を供給する燃料ポンプ（図示せず）への電源を供給／遮断する方法を用いてもよい。
【００６１】
表示器２１１に、入場時の上記処理の状況を、以下のようにメッセージで表示してもよい。
・入場の可否結果：「入場可能です」，「入場できません」等。
・強制ＥＶモード設定時：「モータのみで走行します」，「エンジン停止します」等。
また、図示しないスピーカにより、音声メッセージとして送出してもよい。
【００６２】
図６を用いて、車両入退場管理装置１における車両退場処理の流れについて説明する。なお、本処理は、管理装置１００，車両２００の車載装置２０１，走行駆動制御部２０３において、それぞれに含まれるＣＰＵにより実行される。
【００６３】
まず、管理装置１００の管理サーバ１１０において、退場しようとしている車両２００に対し、車両識別情報を要求する内容を含むデータ（車両識別情報要求）を退場用通信装置１０３から送信する（Ｓ３１）。退場用通信装置１０３からは、常時あるいは間歇動作のような予め定められたタイミングで車両識別情報要求が送信されている。退場口１０４への車両２００の接近を検出するセンサ（図示せず）を設置して、車両２００が退場口１０４へ接近したことを検出したときに、車両識別情報要求を送信してもよい。車両２００の車載装置２０１では、車両識別情報要求を受信すると、メモリ２０１ｃから車両識別情報メモリ２０１ｃ１（図４参照）を読み出し（Ｓ３２）、退場用通信装置１０３に送信する（Ｓ３３）。
【００６４】
管理サーバ１１０では、車両２００からの車両識別情報を受信すると、データベース１０４に予め記憶されている車両識別情報（図３参照）との照合を行う（Ｓ３４）。車両２００からの車両識別情報がデータベース１０４に含まれているとき、車両２００の退場を許可し、走行モードを、車両２００がハイブリッド車両であるため、走行動力源を走行駆動用モータ２０７のみとする強制ＥＶモードを解除させる内容を含むデータ（内燃機関使用許可情報）を車両２００に送信する（Ｓ３５）。
【００６５】
ステップＳ３４において、車両２００からの車両識別情報がデータベース１０４に含まれているとき、かつ、該当する車両の状態が「入場」となっているときに、車両２００の退場を許可してもよい。
【００６６】
車両２００からの車両識別情報がデータベース１０４に含まれていないときには、内燃機関使用許可情報は、退場を許可しない（すなわち、内燃機関２０９の使用を許可しない）内容を含むものとなる。このときは、車載装置２０１では、内燃機関２０９を始動することはできない。
【００６７】
車載装置２０１では、内燃機関使用許可情報を受信すると、メモリ２０１ｃの走行モードフラグ２０１ｃ２（図４参照）を「通常走行モード」とし、入退場フラグ２０１ｃ３を「退場」とする（Ｓ３６）。そして、車内ＬＡＮ２１２を介して、走行駆動制御部２０３に、走行モードを走行動力源が走行用駆動モータ２０７および／または内燃機関を駆動して走行する「通常走行モード」とするよう指令を送る（Ｓ３７）。走行駆動制御部２０３では、制御回路２０３ａの図示しないＲＡＭ（不揮発性メモリでもよい）に記憶されている走行モードを「通常走行モード」に設定し、設定が完了した内容を含む設定応答データを車載装置２０１に送る（Ｓ３８）。これにより、車載装置２０１と制御回路２０３ａとの間で、走行モードの同期をとることができる。
【００６８】
次に、車載装置２０１のスタータ切替ＳＷ回路２０１ｄにおいて、スタータ駆動回路２１３へ電源を供給するようにスイッチを切り替える（Ｓ３９）。これにより、制御回路２０３ａがスタータ駆動回路２１３へスタータモータ駆動指令を送れば、内燃機関２０９を始動できるようになる。そして、管理サーバ１１０に「通常走行モード」の設定（すなわち、「強制ＥＶモード」の解除）が完了した内容を含む設定応答データを送る（Ｓ４０）。
【００６９】
管理サーバ１１０は、車載装置２０１からの設定応答データを受信すると、データベース１０４の該当する車両の車両識別情報に含まれる「状態」を「退場」とする。そして、退場口１０４に備えられたバー１０４ａを開状態とする（ゲートオープン，Ｓ４１）。退場口１０４の周辺には、車両の通過を検出するためのセンサ（図示せず）が設置されており、バー１０４ａは、センサが車両２００の通過を検出した後に閉状態となる。
【００７０】
車両種別が「電気自動車」のときは、内燃機関使用許可情報は、強制ＥＶモードを解除させる内容を含まず、車両２００の退場を許可する内容を含むものとなる。そして、図５において、ステップＳ３６〜Ｓ３９は実行されず、ステップＳ４０の設定応答の内容は、車載装置２０１が内燃機関使用許可情報を受信したことを伝えるものとなる。
【００７１】
車両種別が「走行動力源が内燃機関のみ」のときは、ステップＳ３８において、走行駆動制御部２０３の制御指令により、内燃機関２０９を始動することが可能となる。また、車両種別がＨＶでも走行用駆動モータのみで走行できない構成の場合にも、ステップＳ３８において、走行駆動制御部２０３の制御指令により、内燃機関２０９を始動することが可能となる。
【００７２】
表示器２１１に、退場時の上記処理の状況を、以下のようにメッセージで表示してもよい。
・退場の可否結果：「退場可能です」，「退場できません」等。
・強制ＥＶモード解除時：「通常走行可能です」，「エンジン始動します」等。
また、図示しないスピーカにより、音声メッセージとして送出してもよい。
【００７３】
図７を用いて、ＨＶ車両である車両２００が敷地１２０内に入場した後に、バッテリ２１４の故障あるいは交換等の何らかの理由でバッテリ２１４からの電源供給が停止したとき、ＥＶ強制モードを復旧させるＥＶ強制モード復旧処理について説明する。本処理は、車載装置２０１のＣＰＵ２０１ａがメモリ２０１ｃに記憶された制御プログラムに含まれ、バッテリ２１４接続時（すなわち、電源投入時）のイニシャル処理の中で実行される。
【００７４】
まず、車載装置２０１で、メモリ２０１ｃの、走行モードフラグ２０１ｃ２（図４参照）を読み出す（Ｓ５１）。次に、走行モードが「強制ＥＶモード」であるとき、車内ＬＡＮ２１２を介して、走行駆動制御部２０３に、走行モードを「強制ＥＶモード」とするよう指令を送る（Ｓ５２）。
【００７５】
走行駆動制御部２０３では、制御回路２０３ａの図示しないＲＡＭに記憶されている走行モードを「強制ＥＶモード」に設定し、設定が完了した内容を含む設定応答データを車載装置２０１に送る（Ｓ５３）。
【００７６】
その後、車載装置２０１のスタータ切替ＳＷ回路２０１ｄにおいて、スタータ駆動回路２１３への電源供給を遮断するようにスイッチを切り替える（Ｓ５４）。これにより、車載装置２０１と制御回路２０３ａとの間で、走行モードの同期をとることができ、敷地１２０内で内燃機関２０９を始動しないようにすることができる。
【００７７】
車両２００が強制ＥＶモードで走行中に、走行駆動用モータ２０７の電源となる走行駆動用バッテリ２０３ｄの電力の残量（すなわち、電池残量）が少なくなったときに、ユーザに報知してもよい。以下、図８を用いて、電池残量判定処理について説明する。本処理は、車載装置２０１のＣＰＵ２０１ａがメモリ２０１ｃに記憶された制御プログラムに含まれ、制御プログラムに含まれる他の処理とともに繰り返し実行される。
【００７８】
まず、メモリ２０１ｃの、走行モードフラグ２０１ｃ２（図４参照）を読み出し、走行モードが「強制ＥＶモード」であるとき（Ｓ７１：Ｙｅｓ）、車内ＬＡＮ２１２を介して走行駆動制御部２０３から、走行駆動用バッテリ２０３ｄの電力の残量に関する情報（すなわち、電池残量情報）を取得する（Ｓ７２）。なお、電池残量情報情報は、例えば、走行駆動用バッテリ２０３ｄの出力電圧および出力電流を検出し、これら出力電圧および出力電流に基づいて、制御回路２０３ａにて算出する。
【００７９】
次に、電池残量と、メモリ２０１ｃに予め記憶された電池残量の閾値とを比較し、電池残量が閾値を下回るとき（Ｓ７３：Ｙｅｓ）、表示器２１１に「バッテリ残量が少なくなりました。充電して下さい」のような警告メッセージを表示する（Ｓ７４）。また、図示しないスピーカにより、音声メッセージとして送出してもよい。
【００８０】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００８１】
１    車両入退場管理装置
１０１    入場用通信装置（入場車両識別情報取得部，内燃機関使用禁止情報送信部）
１０２    入場口
１０３    退場用通信装置（退場車両識別情報取得部，内燃機関使用許可情報送信部）
１０４    退場口
１１０    管理サーバ
１１１    ＣＰＵ（入場許可判定部，退場許可判定部）
１１４    データベース（車両識別情報記憶部）
１２０    敷地（規制区域）
２００    車両
２０１    車載装置
２０１ａ  ＣＰＵ
２０１ｂ  通信回路（内燃機関使用禁止情報受信部，内燃機関使用許可情報受信部）
２０１ｄ  スタータ切替ＳＷ回路（内燃機関動作制御部）
２０３    走行駆動制御部
２０３ａ  制御回路（走行モード切替部）
２０９    内燃機関
２０７    走行駆動用モータ
２１３    スタータ駆動回路
【図１】
2011248647.tif 000003
【図２】
2011248647.tif 000004
【図３】
2011248647.tif 000005
【図４】
2011248647.tif 000006
【図５】
2011248647.tif 000007
【図６】
2011248647.tif 000008
【図７】
2011248647.tif 000009
【図８】
2011248647.tif 000010